(57)【要約】チャネルデコーダは、従来の判定帰還型等化器よりも優れた静的かつ動的なマルチパス性能を達成するため、周波数領域等化器を時間領域等化器と効率的に組み合わせる周波数領域・時間領域ハイブリッド型等化器を利用する。周波数領域等化器構造は、共通誤差ベクトルを利用する周波数領域部分と時間領域部分の両方を備えた判定帰還型等化器の時間領域のフォワードパスに含まれる。タップ（周波数ビン）への更新は、帰還フィルタを変更することなく、周波数領域内で個別に、又は、完全に適応させられる。深いノッチを伴うノイズを多く含むチャネルの性能を含む性能が改良され、周波数領域等化器部分はチャネルの最小位相零の等化から解放される。
2004530365.tif 000002
【特許請求の範囲】
【請求項１】
判定帰還型等化器よりも静的及びマルチパス性能が改良された周波数領域・時間領域ハイブリッド型等化器であって、
フォワードパス及び帰還パスを含む周波数領域等化器と、
該周波数領域等化器の該帰還パス内に設けられた判定帰還型等化器判定ネットワークと、
を有し、
該周波数領域等化器と該判定帰還型等化器判定ネットワークは、共に、誤り訂正を更新するため単一の誤差ベクトルを利用する、
周波数領域・時間領域ハイブリッド型等化器。
【請求項２】
該判定帰還型等化器判定ネットワークは、該周波数領域等化器の該帰還パス内に設けられた判定装置を含む、請求項１記載の周波数領域・時間領域ハイブリッド型等化器。
【請求項３】
該判定装置は、復号化誤差を最小限に抑えるためトレリス判定を利用する、請求項２記載の周波数領域・時間領域ハイブリッド型等化器。
【請求項４】
該判定帰還型等化器判定ネットワークは、該周波数領域等化器の該帰還パスに設けられた時間領域帰還フィルタを更に含む、請求項１記載の周波数領域・時間領域ハイブリッド型等化器。
【請求項５】
該判定帰還型等化器判定ネットワークのタップ更新は、該周波数領域等化器のタップ更新とは分けられている、請求項１記載の周波数領域・時間領域ハイブリッド型等化器。
【請求項６】
一つの搬送デジタル信号を受信する入力と、
判定帰還型等化器よりも静的及びマルチパス性能が改良された周波数領域・時間領域ハイブリッド等化器を利用するチャネルデコーダと、
を具備し、
該周波数領域・時間領域ハイブリッド等化器は、
フォワードパス及び帰還パスを含む周波数領域等化器と、
該周波数領域等化器の該帰還パス内に設けられた判定帰還型等化器判定ネットワークと、
を有し、
該周波数領域等化器と該判定帰還型等化器判定ネットワークは、共に、誤り訂正を更新するため単一の誤差ベクトルを利用する、
受信機。
【請求項７】
該判定帰還型等化器判定ネットワークは、該周波数領域等化器の該帰還パス内に設けられた判定装置を含む、請求項６記載の受信機。
【請求項８】
該判定装置は、復号化誤差を最小限に抑えるためトレリス判定を利用する、請求項７記載の受信機。
【請求項９】
該判定帰還型等化器判定ネットワークは、該周波数領域等化器の該帰還パスに設けられた時間領域帰還フィルタを更に含む、請求項６記載の受信機。
【請求項１０】
該判定帰還型等化器判定ネットワークのタップ更新は、該周波数領域等化器のタップ更新とは分けられている、請求項６記載の受信機。
【請求項１１】
判定帰還型等化器よりも静的及びマルチパス性能が改良された周波数領域・時間領域ハイブリッド等化器の方法であって、
フォワードパス及び帰還パスを含む周波数領域等化器で単一の搬送入力信号を受信する手順と、
周波数領域等化器の帰還パス内で判定帰還型等化器判定ネットワークを利用する手順と、
を有し、
周波数領域等化器と判定帰還型等化器判定ネットワークは、共に、誤り訂正を更新するため単一の誤差ベクトルを利用する、
方法。
【請求項１２】
周波数領域等化器の帰還パス内で判定帰還型等化器判定ネットワークを利用する手順は、周波数領域等化器の帰還パス内で判定装置を利用する手順を含む、請求項１１記載の方法。
【請求項１３】
周波数領域等化器の帰還パス内で判定装置を利用する手順は、復号化誤差を最小限に抑えるため、周波数領域等化器の帰還パス内でトレリス判定を利用する手順を含む、請求項１２記載の方法。
【請求項１４】
周波数領域等化器の帰還パス内で判定帰還型等化器判定ネットワークを利用する手順は、周波数領域等化器の帰還パス内で時間領域帰還フィルタを利用する手順を含む、請求項１１記載の方法。
【請求項１５】
周波数領域等化器のタップ更新とは別に、判定帰還型等化器判定ネットワークのタップを更新する手順を更に有する、請求項１１記載の受信機。
【請求項１６】
判定帰還型等化器よりも静的及びマルチパス性能が改良された周波数領域・時間領域ハイブリッド等化器であって、
フォワードパス及び帰還パスを含む判定帰還型等化器と、
該判定帰還型等化器の該フォワードパスに設けられた周波数領域等化器と、
を有し、
該周波数領域等化器と該判定帰還型等化器は、共に、誤り訂正を更新するため単一の誤差ベクトルを利用する、
周波数領域・時間領域ハイブリッド等化器。
【請求項１７】
該判定帰還型等化器は該帰還パスに設けられた判定装置を含み、
該帰還パスは該周波数領域等化器の帰還パスの一部を形成する、
請求項１６記載の周波数領域・時間領域ハイブリッド型等化器。
【請求項１８】
該判定装置は、復号化誤差を最小限に抑えるためトレリス判定を利用する、請求項１７記載の周波数領域・時間領域ハイブリッド型等化器。
【請求項１９】
該判定帰還型等化器は、該帰還パスに設けられた時間領域帰還フィルタを更に含む、請求項１６記載の周波数領域・時間領域ハイブリッド型等化器。
【請求項２０】
該判定帰還型等化器のタップ更新は、該周波数領域等化器のタップ更新とは分けられている、請求項１６記載の周波数領域・時間領域ハイブリッド型等化器。
【発明の詳細な説明】
【技術分野】
【０００１】
［関連出願］
本発明は、本願と同一出願人による、発明の名称が"A  FREQUENCY-DOMAIN  EQUALIZER  FOR  TERRESTRIAL  DIGITAL  TV  RECEPTION"である、同時係属中の特許出願（代理人書類番号第７０１３７５号(PHIL06-01375)）の対象と関連している。この特許出願の内容は、参考のため引用される。
【０００２】
本発明は、一般的に、無線信号を復号化する際のチャネル等化器に係り、特に、性能改良に向けられた周波数領域・時間領域ハイブリッド型等化器に関係する。
【０００３】
上記の関連出願は、直交周波数分割多重（ＯＦＤＭ）方式デコーダを含む単一集積回路型マルチスタンダード復調器内に組み込まれた残留側波帯（ＶＳＢ）デコーダ用の周波数領域等化器を開示している。時間領域有限インパルス応答（ＦＩＲ）フィルタを周波数領域で実現すると計算集約的になるため、上記の関連出願に開示された周波数領域等化器は、適応逆チャネル推定におけるメモリ集約的である最小自乗コスト関数を利用する。その結果として、適応逆チャネル推定に要求されるハードウェアは、（メモリ集約的な）ＯＦＤＭ復号化のため利用されるハードウェアに割り当てられる。
【０００４】
シミュレーションの結果によると、関連出願に開示された周波数領域等化器の性能は、従来から実施されているＶＳＢ等化器と少なくとも同程度の性能であり、ある種の場合には、特に、ノイズを含む非最小位相チャネル（フォワードタップの長さが短い場合、判定帰還型等化器は、ローカルミニマムへの収束の影響を受ける）、長期遅延分散、及び、同一チャネル干渉の性能が上回ることが期待される。その上、関連出願に開示された周波数領域等化器の性能は、スパイク初期化（中央タップ）の場所によって大きく影響される。
【０００５】
周波数領域等化器の性能が、記載されている環境下で、典型的な標準時間領域判定帰還型等化器（ＤＦＥ）の性能以上ではなく、少なくとも同程度の性能であるとしても、周波数領域等化器だけを使用することは、８個の離散振幅レベル（８−ＶＳＢ）による残留側波帯（ＶＳＢ）変調の等化問題を解決するために適切ではないであろう。周波数領域等化器の動作は、深いノッチをもつノイズを含むチャネルに対しては不適切である有限インパルス応答（ＦＩＲ）ウィーナ手法に近い。
【背景技術】
【０００６】
これに対して、判定帰還型等化器（Proakis著、"Digital Communications"、第３版に概略的に説明されている）は、このような状況において、等化器へ帰還される判定が信頼でき、かつ、フィルタの長さが十分に長い場合には、理論的により優れた性能を示す。高い信号対雑音比（ＳＮ比）をもつ判定、又は、トレリス判定を使用する判定のような信頼性の高い判定を用いるならば、判定帰還型等化器は、ある種のチャネルに対して、上記の関連出願に記載された周波数領域等化器よりも優れた性能を発揮するであろう。
【発明の開示】
【発明が解決しようとする課題】
【０００７】
したがって、従来技術では、適応逆チャネル推定の利点を維持すると共に、判定の信頼性が高く、十分に長いフィルタを備えた判定帰還型等化器の帰還部分の利点を得る周波数領域等化器が必要とされている。
【０００８】
上記の従来技術の欠点を解決するため、本発明の主要な目的は、チャネルでコーダで使用するため、従来の判定帰還型等化器よりも優れた静的かつ動的なマルチパス性能を達成するために周波数領域等化器を時間領域等化器と効率的に組み合わせる周波数領域・時間領域ハイブリッド型等化器を提供することである。
【課題を解決するための手段】
【０００９】
周波数領域等化器構造は、共通誤差ベクトルを利用する周波数領域部分と時間領域部分の両方を備えた判定帰還型等化器の時間領域のフォワードパスに含まれる。タップ（周波数ビン）への更新は、帰還フィルタを変更することなく、周波数領域内で個別に、又は、完全に適応させられる。深いノッチを伴うノイズを多く含むチャネルの性能を含む性能が改良され、周波数領域等化器部分はチャネルの最小位相零の等化から解放される。
【００１０】
ここまでに、本発明の特徴及び技術的効果を概略的に説明したので、当業者は、以下の本発明の詳細な説明をより良く理解するであろう。後述する本発明の更なる特徴及び効果は本願の請求項に係る発明の対象を構成する。当業者は、本発明と同じ目的を実現する他の構成を変形若しくは設計するための基礎として、開示された概念及び具体的な実施例を容易に使用するであろう。当業者は、このような等価的な構成が本発明の最広義の形式の精神及び範囲に含まれることがわかるであろう。
【００１１】
本発明の詳細な説明を行う前に、本願の書類を通じて使用される一部の語又は句の定義を明らかにする方が有利である。用語「含む」及び「有する」、並びに、これらの派生語は、無制限に包含することを意味する。用語「又は」は包括的であり、「及び／又は」の意味である。「関連した」や「関連させられた」等の句、及び、それらの派生句は、「包含する」、「包含される」、「相互に連結する」、「格納する」、「格納される」、「つながる」若しくは「連結する」、「つなぐ」若しくは「結び付く」、「連絡可能である」、「協働する」、「交互にする」、「並列にする」、「接近する」、「付く」若しくは「付けられる」、「もつ」、「所有する」などを表す。用語「コントローラ」は、少なくとも一つの動作を制御する装置、システム、或いは、それらの一部を意味し、このような装置は、ハードウェア、ファームウェア、ソフトウェア、或いは、それらのうちの少なくとも二つの組み合わせによって実現される。尚、特定のコントローラに関連付けられた機能は、局所的でも遠隔的でもよく、集中型若しくは分散型のいずれでもよい。このような語句の定義は、本願の書類の全体で行われている。当業者は、殆どの場合ではなくても、多くの場合に、このような定義がこのような定義された語句の過去並びに未来の用法にも当てはまることを認めるであろう。
【００１２】
本発明と本発明の効果がより十分に理解されるように、以下の記述では、添付図面を参照する。添付図面中、同じ番号は同じ対象を表している。
【発明を実施するための最良の形態】
【００１３】
本明細書において本発明の原理を説明するために使用される後述の図１乃至４、並びに、種々の実施例は、説明のための例示に過ぎず、如何なる形であっても本発明の範囲を限定するために解釈されるべきではない。当業者は、本発明の原理が適切に用意された装置で実施できることを認めるであろう。
【００１４】
図１は、本発明の一実施例による周波数領域・時間領域ハイブリッド型等化器が実施されるシステムを表している。システム１００は受信機１０１を含む。受信機１０１は、典型的な本実施例では、残留側波帯（ＶＳＢ）標準に従ってデジタルテレビ放送信号を復調する能力を備えているチャネルデコーダ１０２を具備するデジタルテレビ（ＤＴＶ）受信機である。チャネルデコーダ１０２については、後で詳細に説明する。デジタルテレビ信号は、入力１０３で受信される。
【００１５】
当業者は、図１が典型的な実施例のデジタルテレビ受信機内のすべてのコンポーネントを明示的に記載しているものではないことがわかるであろう。デジタルテレビ受信機とその内部のコンポーネントの周知慣用の構成及び動作の中で、本発明に固有であるもの、及び／又は、本発明を理解するために必要なものだけが、図示され、説明されている。
【００１６】
図２は、本発明の一実施例による周波数領域・時間領域等化器で使用するための適応逆チャネル推定器を利用する周波数領域等化器を詳細に説明する略ブロック図である。周波数領域等化器２００は、復号化されるべき入力信号２０２を受信し、Ｎ個のサンプルを形成するためＭ個のサンプルを重ね合わせるオーバーラップユニット２０１を含む。ここで、ＮはＦＦＴのサイズであり、Ｎ個のサンプルはＦＦＴユニット２０３によって周波数領域へ変換される。ＦＦＴユニット２０３の出力は、Ｎ×Ｎ形の対角行列Ｘkとしてモデル化され、行列Ｘkの対角要素｛Ｘ(n,k)｝はＦＦＴユニット２０３の出力である。添え字（ｎ，ｋ）は、ｋ番目のＦＦＴブロックのｎ番目の周波数ビンを表す。ここで、
ｎ＝１，．．．，Ｎ
である。
【００１７】
ＦＦＴユニット２０３の出力は、信号乗算器２０４によって、逆チャネル推定値｛Ｇ(n,k)｝の周波数ビンを含むＮサイズの行ベクトルであるＧkと乗算され、等化された周波数領域出力｛Ｙ(n,k)｝を含むＮサイズの行ベクトルを生成する。等化された周波数領域出力は、
Ｙk＝ＧkＸk
のように記述される。
【００１８】
周波数領域の逆チャネル推定値Ｇkは、周波数領域データに適用される時間領域の再帰的最小自乗（ＲＬＳ）コスト関数の修正版：
【００１９】
【数１】
2004530365.tif 000003
を最小化するＧkの値を見つけることによって本発明において獲得される。式中、Ｅlは、
Ｅl＝Ｓl−ＧkＸl
によって定義される周波数領域誤差ベクトルであり、Ｓkは、送信されたＶＳＢソース信号（既知であると考えられる）の周波数領域表現を含むＮサイズの行ベクトルであり、
【００２０】
【数２】
2004530365.tif 000004
であり（添え字Ｈは転置複素共役を示す）、λは、忘却係数として知られている正定数であり、
０＜λ＜１
によって制約される値をとる。
【００２１】
コスト関数Ｊkの最小値は、以下の編微分：
【００２２】
【数３】
2004530365.tif 000005
を満たす値Ｇkを見つけることにより特定される。
【００２３】
更なる解析を簡単化するため、入力信号Ｘkの相関行列Ｒkは、
【００２４】
【数４】
2004530365.tif 000006
によって定義され、入力信号Ｘkと希望信号Ｓkの間の相互相関ベクトルＰkは、
【００２５】
【数５】
2004530365.tif 000007
によって定義される。コスト関数Ｊk内でこれらの二つの相関値を利用し、更に簡単化すると、コスト関数Ｊkは、
【００２６】
【数６】
2004530365.tif 000008
として表現される。Ｒkは対角行列であり、Ｐkはベクトルであるため、Ｇkの要素に関して式（１）を編微分すると、
【００２７】
【数７】
2004530365.tif 000009
が得られる。
【００２８】
Ｇkの最適値は、方程式：
ＧkＲk−Ｐk＝０
の組の解から獲得され、Ｇkについての解として、
Ｇk＝ＰkＲk-1                        （２）
が得られる。
Ｐk＝λＰk-1＋ＳkＸkH
であり、かつ、
【００２９】
【数８】
2004530365.tif 000010
が誤差Ｅkの事前推定値であると仮定すると、相互相関ベクトル
【００３０】
【数９】
2004530365.tif 000011
は、
【００３１】
【数１０】
2004530365.tif 000012
として記述される。なぜならば、
Ｐk-l＝Ｇk-iＲk-l
であるからである。式（２）の相互相関ベクトルＰkにこの式を代入すると、さらに、
【００３２】
【数１１】
2004530365.tif 000013
のように簡単化される。しかし、Ｒk-1が適当な定数で初期化された場合、相関行列Ｒkは、以下の再帰方程式：
【００３３】
【数１２】
2004530365.tif 000014
によって記述される。式（３）にこの式を代入し、更に簡単化すると、
【００３４】
【数１３】
2004530365.tif 000015
が得られる。
【００３５】
信号乗算器２０４からの等化された周波数領域出力Ｙkは、時間領域へ変換するためのＩＦＦＴユニット２０５へ入力される。ＩＦＦＴユニット２０５の出力は、廃棄ユニット２０６へ渡され、廃棄ユニット２０６は、Ｍ個のサンプルを捨て、残りのサンプルをトレリスデコーダ（ビタビ）ユニット２０７へ渡す。トレリスデコーダは、復号化出力２０８と、誤差に関する一時的な判定結果２０９と、を生成する。誤差は、ＩＦＦＴユニット２０５からの等化された周波数領域出力Ｙkの変換を利用して、誤差ユニット２１０内で、時間領域において計算され、次に、ＦＦＴユニット２１１によって周波数領域へ戻す変換がなされる。変換された誤差は、逆チャネル推定値Ｇkを計算するため、適応ＲＬＳ逆チャネル推定器２１２によって利用される。
【００３６】
収束状態に依存して、誤差は、トレーニングシーケンス、ブラインドアルゴリズム、及び／又は、トレリスデコーダ２０７からの一時的な判定結果を利用して、誤差ユニット２１０によって計算される。上記の適応逆チャネル推定の解析は、送信されたシーケンスと誤差シーケンスは事前に分かっていることを前提としているが、実際には、送信されたシーケンスの一部だけが既知であり、誤差シーケンスは未知である場合が多い。したがって、等価的な誤差を獲得するため、定モジュラスアルゴリズム（ＣＭＡ）及び判定指向技術のような統計的な技術を利用しなければならない。代替誤差は、式（５）を、
Ｇk＝Ｇk-1＋μＥkＸ＊kＲk-1                    （６）
へ修正することによって計算される。ここで、μは、適応速度及び過剰平均自乗誤差（ＭＳＥ）を制御する正定数である。
【００３７】
残留側波帯（ＶＳＢ）の場合、連続的なトレーニングシーケンス（トレーニング信号）の間の時間距離は、非常に離れているので、トレーニングシーケンス間の誤差を計算するために他の技術を利用しなければならない。シンボル間干渉（ＩＳＩ）の重大さに依存して、ブラインドアルゴリズム及び判定指向アルゴリズムが、実際の誤差の代わりに用いられる等化誤差を計算するため利用される。
【００３８】
ブロック遅延ユニット２１３は、実施に関する推定器ループ遅延（即ち、ＩＦＦＴユニット２０５、誤差ユニット２１０及びＦＦＴユニット２１１に関係する遅延）を反映させるため、周波数領域等化器２００内に挿入される。逆チャネル推定量Ｇkは、遅延させられた周波数領域入力Ｘk及び誤差Ｅk（並びに誤差Ｅkを計算する際に利用された相関行列Ｒk）を利用して更新される。
【００３９】
図３は、本発明の一実施例による周波数領域等化器用の適応逆チャネル推定器の詳細を示す図である。図２に示された適応逆チャネル推定器２１２は、図３に示されるように実現される。相関行列Ｒkは対角行列であるため、逆演算には、対角要素の反転しか含まれない。ｎ＝１，．．．，Ｎとして、ｋ番目のＦＦＴフレーム内のｎ番目の周波数ビンを、例えば、Ｇn,kのように表すと、式（４）及び（６）に対する周波数ビンの更新は、
【００４０】
【数１４】
2004530365.tif 000016
及び
【００４１】
【数１５】
2004530365.tif 000017
に簡単化される。式中、Ｒn,k、Ｘn,k、Ｇn,k及びＥn,kは、夫々、相関行列Ｒk入力信号Ｘk、逆チャネル推定値Ｇk及び誤差Ｅkの対角要素である。
【００４２】
図３に示されるように、周波数ビン更新式（７）及び（８）には、僅かな数の加算器３０１及び３０２と、２個の複素数乗算器３０３及び３０４と、１個の複素数除算器３０５と、が必要である。ブロック遅延２１３からの遅延した出力Ｘk-dは、信号複素共役器３０６と乗算器３０３に供給される。乗算器３０３は複素共役器３０６の出力を受け取り、除算器３０５も同様に受け取る。乗算器３０３の出力：
【００４３】
【数１６】
2004530365.tif 000018
は、現在の相関行列対角要素Ｒn,kを計算するため、メモリ３０７から取り出されλフィルタ３０８によってフィルタリングされた前の相関行列対角要素Ｒn,k-1に加算器３０１によって加算される。
【００４４】
相関行列対角要素Ｒn,kは、メモリ３０７に保存され、Ｘ*n,kＲ-1n,kを計算するため除算器３０５へ渡され、Ｘ*n,kＲ-1n,kは乗算器３０４へ送られ、誤差対角要素Ｅn,kと乗算され、その結果は、加算器３０２へ渡される前に、μフィルタ３０９によってフィルタリングされる。加算器３０２は、メモリ３０７から、前の逆チャネル推定対角要素Ｇn,k-1を受け取り、加算器３０２の出力は、現在の逆チャネル推定対角要素Ｇn,kであり、現在の逆チャネル推定対角要素Ｇn,kは、乗算器２０４へ渡され、メモリ３０７に格納される。
【００４５】
過剰なＭＳＥと、適応アルゴリズムのトラッキング／収束動作を制御するλ及びμの値は（相関行列Ｒkは収束とトラッキングのため非常に有効ではあるが）、これらの値との乗算がシフト演算と加算演算とだけによって実施されるように選択される。
【００４６】
図２及び３に示された周波数領域等化器の近似的な時間領域動作は、巡回畳み込みを使用するＦＩＲフィルタのＦＦＴによる実施に略一致するフィルタリング部と、略ウィーナＦＩＲフィルタの解：
【００４７】
【数１７】
2004530365.tif 000019
におおよそ収束するブロック時間領域ＲＬＳ更新と等化的である更新部と、を含む。式中、Ｈはチャネルの有効周波数応答を表し、σは加算的白色ガウス雑音（ＡＷＧＮ）を表す。
【００４８】
図４は、本発明の一実施例による周波数領域・時間領域ハイブリッド型等化器の説明図である。周波数領域・時間領域ハイブリッド型等化器４００は、基本的に、フォワードパス内に周波数領域等化器２００を含む時間領域判定帰還型等化器であり、時間領域等化器は、周波数領域等化器と同じ誤差ベクトル(誤差計算ユニット２１０）を使用するように適合させられている。誤差ベクトルは、ブラインド判定指向アルゴリズム、又は、定モジュラスアルゴリズムを利用して計算され、直列／並列変換器４０１を通った後、ハイブリッド型等化器４００の周波数領域等化器部分２００へ送られる。ハイブリッド型等化器４００の周波数領域等化器部分２００は、上述のような加算的逆チャネル推定を必ずしも利用しなくてもよいが、ハイブリッド型等化器４００の性能は、他のチャネル推定技術が利用されば場合には許容できないかもしれない。
【００４９】
周波数領域・時間領域ハイブリッド型等化器４００は、周波数領域等化器２００の時間領域出力を受け取る信号加算器４０２を含み、信号加算器４０２は、ハイブリッド型等化器４００の周波数領域等化器部分２００から信号加算器４０２を介してトレリスデコーダ（図４には示されていない）へ至るフォワードパスを形成する。
【００５０】
ハイブリッド型等化器４００の周波数領域部分２００の更新は、周波数領域で行われ、帰還型時間領域フィルタ４０３の更新は、従来のサンプル単位の時間領域更新によって行われる。したがって、周波数領域・時間領域ハイブリッド型等化器４００は、周波数領域等化器の帰還ループ（パス）内に、判定装置４０４と、帰還フィルタ４０３と、誤差計算ユニット２１０と、直列／並列変換器４０１と、周波数領域等化器部分２００及び信号加算器４０２へのコネクション並びに信号加算器４０２への出力と、を含む判定帰還型等化器判定ネットワーク４０５を有する。
【００５１】
判定装置４０４は、トレリスデコーダ２０７へも渡される信号加算器４０２の出力を受け取る。トレリス判定は、好ましくは、ハイブリッド型等化器４００の判定帰還型等化器部分によって利用されるので、判定装置４０４は、選択的に、トレリスデコーダ２０７の一部を形成する場合もある。このように誤差を計算する際にトレリス判定を用いることは、本願と同一出願人による同時係属中の、発明の名称が"GENERATION  OF  DECISION  FEEDBACK  EQUALIZER  DATA  USING  TRELLIS  DECODER  TRACEBACK  OUTPUT  IN  AN  ATSC  HDTV  RECEIVER"である特許出願（代理人書類番号第７０１７２０号(PHIL06-01720)）、並びに、発明の名称が"A  TWO  STAGE  EQUALIZWE  FOR  TRELLIS  CODED  SYSTEMS"である特許出願（代理人書類番号第７０１４２９号(PHIL06-01429)）により詳しく記載されている。これらは、参考のためここに引用される。
【００５２】
誤差計算ユニット２１０からの時間領域誤差ベクトルは、帰還フィルタ４０３へ渡され、判定装置４０４からの判定結果は、帰還フィルタ４０３に加えて誤差計算ユニット２１０へ供給される。
【００５３】
ハイブリッド型等化器４００に同等の時間領域は、２０００タップフォワードフィルタのように非常に長いフォワードフィルタを備えた判定帰還型等化器である。収束／トラッキング速度及び集積回路面積コストがこのような大きい等化器を時間領域で効率的に使用することを妨げるとしても、このように長いフォワードフィルタは時間領域における大域的極小への収束を容易化する。ハイブリッド型等化器４００は、初期収束速度及びトラッキングがタップ（周波数ビン）を個別に適合させることにより改良されるので、優れている。ハイブリッド型等化器４００は、周波数領域等化器部分２００によるチャネルの最小位相零の等化を軽減する。
【００５４】
ハイブリッド型等化器４００は、周波数領域部分におけるタップと時間領域部分におけるタップが異なる方法で適応させられる周波数領域・時間領域ハイブリッド型タップ更新を利用する。代替案は、完全な周波数領域タップ更新であり、等化器のフィルタリング部は変更されない（即ち、帰還フィルタは、依然として時間領域で動作する。）。周波数領域等化器部分２００に対する上述の更新方程式と類似したタップ（周波数ビン）更新方程式は、フォワードパスと帰還パスの両方に利用されるが、付加的なＦＦＴ／ＩＦＦＴフィルタのペアが要求される。
【００５５】
図５には、本発明の一実施例による周波数領域・時間領域ハイブリッド型等化器のシミュレーション結果が示されている。このグラフは、１２８個のフォワードタップと２５６個の帰還パスを有する従来の判定帰還型等化器の典型的な符号誤り率（ＳＥＲ）性能と、トレリスデコーダからの判定結果が等化器の帰還パスで利用され、周波数領域等化器部分に２０００点のＦＦＴを有する周波数領域・時間領域ハイブリッド型等化器の符号誤り率との対比を表している。ハイブリッド型等化器の性能の方が著しく良好である。
【００５６】
本発明のハイブリッド型等化器は、深いノッチを備えたノイズを含むチャネルに対しても、従来の判定帰還型等化器よりも優れた静的及びマルチパス性能を備えている。周波数領域等化器は、帰還パス内で、時間領域判定帰還型等化器判定ネットワーク４０５とシームレスに統合される。トレリスデコーダからの判定結果が利用され、大域的極小よりも局所的極小へ収束する確率が低下することによって、性能のロバスト性が高まる。タップ更新用の判定指向アルゴリズムも実施可能である。
【００５７】
尚、ここで注意すべき点として、本発明は、完全に機能的なハードウェアベースのシステム及び／又はネットワークを背景として説明されているが、当業者は、本発明のメカニズムが、様々の形式で命令を格納するコンピュータ読み取り可能な媒体の形式で配布可能であること、並びに、本発明は、実際に配布を実行するために利用される媒体を搬送する信号の具体的なタイプにかかわらず同等に適用されること、を認めるであろう。コンピュータ読み取り可能な媒体の例には、読み出し専用メモリ（ＲＯＭ）若しくは消去可能電気的プログラマブル読み出し専用メモリ（ＥＥＰＲＯＭ）のような不揮発性のハードコードタイプの媒体と、フレキシブルディスク、ハードディスクドライブ、コンパクトディスク読み出し専用メモリ（ＣＤ−ＲＯＭ）、若しくは、デジタル多目的ディスクのような記録可能タイプの媒体と、デジタル通信リンク及びアナログ通信リンクのような伝送タイプの媒体と、が含まれる。
【００５８】
本発明を詳細に説明したが、当業者は、様々な変更、置換及び代替が本発明の最広義の形で本発明の精神及び範囲から逸脱することなくなされることを認めるであろう。
【図面の簡単な説明】
【００５９】
【図１】本発明の一実施例による周波数領域・時間領域ハイブリッド型等化器が実現されるシステムの説明図である。
【図２】本発明の一実施例による周波数領域・時間領域ハイブリッド型等化器で使用される適応逆チャネル推定器を利用する周波数領域等化器の詳細を説明する略ブロック図である。
【図３】本発明の一実施例による周波数領域等化器の適応逆チャネル推定器の詳細な説明図である。
【図４】本発明の一実施例による周波数領域・時間領域ハイブリッド型等化器の説明図である。
【図５】本発明の一実施例による周波数領域・時間領域ハイブリッド等化器のシミュレーション結果の説明図である。
【図１】
2004530365.tif 000020
【図２】
2004530365.tif 000021
【図３】
2004530365.tif 000022
【図４】
2004530365.tif 000023
【図５】
2004530365.tif 000024
【国際公開パンフレット】
2004530365.tif 000025
2004530365.tif 000026
2004530365.tif 000027
2004530365.tif 000028
2004530365.tif 000029
2004530365.tif 000030
2004530365.tif 000031
2004530365.tif 000032
2004530365.tif 000033
2004530365.tif 000034
2004530365.tif 000035
2004530365.tif 000036
2004530365.tif 000037
2004530365.tif 000038
2004530365.tif 000039
2004530365.tif 000040
2004530365.tif 000041
2004530365.tif 000042
2004530365.tif 000043
【国際調査報告】
2004530365.tif 000044
2004530365.tif 000045